(57)【要約】基地局装置はｍ（ｍ：１≦ｍ＜５）本目までの各送信アンテナから送信される共通参照信号（ＣＲＳ）の各リソースが割り当てられた第１の領域とは異なる領域であって、データチャンネル領域または制御チャネル領域と重複し、かつ互いに異なる領域となるようにするように、５本目以降の各送信アンテナから送信されるＣＲＳの各リソースが割り当てられた第１のスケジューリング情報と、前記第１の領域とは異なる領域であって、前記データチャネル領域においてデータが割り当てられていない領域または前記制御チャネル領域において制御信号が割り当てられていない領域で、かつ互いに重複し、符号多重して、５本目以降の各前記送信アンテナから送信される個別参照信号（ＤＲＳ）の各リソースが割り当てられた第２のスケジューリング情報とを保持し、前記第１または第２のスケジューリング情報に基づいて、スケジューリングを行う無線通信システム。
2010086905.tif 000002
【特許請求の範囲】
【請求項１】
基地局装置と端末装置との間で無線通信を行う無線通信システムにおいて、
前記基地局装置は、
５本以上の送信アンテナと、
データチャネル領域と制御チャネル領域とを有し、ｍ（ｍは１≦ｍ＜５を満たす整数）本目までの各前記送信アンテナから送信される共通参照信号の各リソースが割り当てられた第１の領域とは異なる領域であって、データが割り当てられた前記データチャネル領域または制御信号が割り当てられた前記制御チャネル領域と重複し、かつ互いに異なる領域となるようにするように、５本目以降の各前記送信アンテナから送信される共通参照信号の各リソースが割り当てられた第１のスケジューリング情報と、前記第１の領域とは異なる領域であって、前記データチャネル領域において前記データが割り当てられていない領域または前記制御チャネル領域において前記制御信号が割り当てられていない領域で、かつ互いに重複し、コード領域において異なる領域となるように、５本目以降の各前記送信アンテナから送信される個別参照信号の各リソースが割り当てられた第２のスケジューリング情報とを保持するスケジューリング情報保持部と、
前記第１または第２のスケジューリング情報に基づいて、前記データ、前記制御信号、前記共通参照信号、及び前記個別参照信号を送信する送信部とを備え、
前記端末装置は、前記第１または前記第２のスケジューリング情報に基づいて、前記データ、制御信号、及び前記共通参照信号または前記個別参照信号を受信する受信部を備え、
前記送信部は前記共通参照信号を所定のコードにより送信することを特徴とする無線通信システム。
【請求項２】
前記送信部は、前記データまたは前記制御信号よりも大きい送信パワーで前記共通参照信号を送信することを特徴とする請求項１記載の無線通信システム。  
【請求項３】
前記第１のスケジューリング情報において、ｎ（ｎは５以上の整数）本目の前記送信アンテナから送信される前記共通参照信号のリソースは同一の時間領域でかつ複数の周波数領域にわたり割り当てられていることを特徴とする請求項１記載の無線通信システム。
【請求項４】
前記第１のスケジューリング情報において、ｎ（ｎは５以上の整数）本目の前記送信アンテナから送信される前記共通参照信号のリソースは同一の周波数領域でかつ複数の時間領域にわたり割り当てられていることを特徴とする請求項１記載の無線通信システム。  
【請求項５】
前記第１のスケジューリング情報において、ｎ（ｎは５以上の整数）本目の前記送信アンテナから送信される前記共通参照信号のリソースは互いに異なる周波数領域でかつ互いに異なる時間領域に割り当ててられていることを特徴とする請求項１記載の無線通信システム。
【請求項６】
前記第１のスケジューリング情報において、前記５本目以降の各送信アンテナから送信される共通参照信号の各リソースのうち、少なくとも一つの前記リソースが割り当てられることを特徴とする請求項１記載の無線通信システム。
【請求項７】
前記スケジューリング情報保持部は、前記５本目以降の各送信アンテナから送信される共通参照信号の各リソースのうち、互いに異なる少なくとも一つのリソースがそれぞれ割り当てられた複数のスケジューリング情報を前記第１のスケジューリング情報として保持し、
更に、前記複数のスケジューリング情報をそれぞれ切り替える切り替え部を備え、
前記送信部は、前記切り替え部により切り替えられた各前記スケジューリング情報に基づいて前記データ及び前記制御信号を送信することを特徴とする請求項１記載の無線通信システム。
【請求項８】
前記第２のスケジューリング情報において、ｎ（ｎは５以上の整数）本目の前記送信アンテナから送信される前記個別参照信号のリソースは同一の時間領域でかつ複数の周波数領域にわたり割り当てられていることを特徴とする請求項１記載の無線通信システム。
【請求項９】
前記第２のスケジューリング情報において、ｎ（ｎは５以上の整数）本目の前記送信アンテナから送信される前記個別参照信号のリソースは同一の周波数領域でかつ複数の時間領域にわたり割り当てられていることを特徴とする請求項１記載の無線通信システム。  
【請求項１０】
前記第２のスケジューリング情報において、ｎ（ｎは５以上の整数）本目の前記送信アンテナから送信される前記個別参照信号のリソースは互いに異なる周波数領域でかつ互いに異なる時間領域に割り当ててられていることを特徴とする請求項１記載の無線通信システム。
【請求項１１】
前記第２のスケジューリング情報において、前記５本目以降の各送信アンテナから送信される個別参照信号の各リソースのうち、少なくとも一つの前記リソースが割り当てられることを特徴とする請求項１記載の無線通信システム。
【請求項１２】
前記スケジューリング情報保持部は、前記５本目以降の各送信アンテナから送信される個別参照信号の各リソースのうち、互いに異なる少なくとも一つのリソースがそれぞれ割り当てられた複数のスケジューリング情報を前記第２のスケジューリング情報として保持し、
更に、前記複数のスケジューリング情報をそれぞれ切り替える切り替え部を備え、
前記送信部は、前記切り替え部により切り替えられた各前記スケジューリング情報に基づいて前記データ及び前記制御信号を送信することを特徴とする請求項１記載の無線通信システム。
【請求項１３】
前記受信部は、前記第２のスケジューリング情報に基づいて受信した前記５本目以降の各前記送信アンテナから送信された前記個別参照信号のうち一部を、前記５本目以降の各前記送信アンテナから送信された前記共通参照信号として受信することを特徴とする請求項１記載の無線通信システム。
【請求項１４】
前記送信部は、前記個別参照信号の送信パワーを、前記共通参照信号の送信パワーと同じにして、当該個別参照信号を送信することを特徴とする請求項１３記載の無線通信システム。
【請求項１５】
前記送信部は、前記５本目以降の各送信アンテナから送信される各共通参照信号の前記所定のコードまたは前記各個別参照信号のコードをＷａｌｓｈ  Ｃｏｄｅとして送信することを特徴とする請求項１記載の無線通信システム。
【請求項１６】
前記送信部は、前記５本目以降の各送信アンテナから送信される各共通参照信号の前記所定のコードまたは前記各個別参照信号のコードをＢａｒｋｅｒ  Ｃｏｄｅとして送信することを特徴とする請求項１記載の無線通信システム。
【請求項１７】
前記受信部は、Ｗａｌｓｈ  Ｃｏｄｅとして受信した、前記５本目以降の各送信アンテナから送信される各共通参照信号または前記各個別参照信号のうち、一部の符号列を用いて、前記基地局装置と前記端末装置との通信路におけるチャネル推定を行うことを特徴とする請求項１記載の無線通信システム。
【請求項１８】
前記基地局装置は、更に、前記データと前記制御信号、及び前記共通参照信号または前記個別参照信号に対して、前記各送信アンテナにマッピングするためのプリコーディング処理を行う多重化部を備えることを特徴とする請求項１記載の無線通信システム。
【請求項１９】
端末装置と無線通信を行う基地局装置において、
５本以上の送信アンテナと、
データチャネル領域と制御チャネル領域とを有し、ｍ（ｍは１≦ｍ＜５を満たす整数）本目までの各前記送信アンテナから送信される共通参照信号の各リソースが割り当てられた第１の領域とは異なる領域であって、データが割り当てられた前記データチャネル領域または制御信号が割り当てられた前記制御チャネル領域と重複し、かつ互いに異なる領域となるようにするように、５本目以降の各前記送信アンテナから送信される共通参照信号の各リソースが割り当てられた第１のスケジューリング情報と、前記第１の領域とは異なる領域であって、前記データチャネル領域において前記データが割り当てられていない領域または前記制御チャネル領域において前記制御信号が割り当てられていない領域で、かつ互いに重複し、コード領域において異なる領域となるように、５本目以降の各前記送信アンテナから送信される個別参照信号の各リソースが割り当てられた第２のスケジューリング情報とを保持するスケジューリング情報保持部と、
前記第１または第２のスケジューリング情報に基づいて、前記データ、前記制御信号、前記共通参照信号、及び前記個別参照信号を送信する送信部とを備え、
前記送信部は前記共通参照信号を所定のコードにより送信することを特徴とする基地局装置。
【請求項２０】
５本以上の送信アンテナを有する基地局装置と無線通信を行う端末装置において、
データチャネル領域と制御チャネル領域とを有し、ｍ（ｍは１≦ｍ＜５を満たす整数）本目までの各前記送信アンテナから送信される共通参照信号の各リソースが割り当てられた第１の領域とは異なる領域であって、データが割り当てられた前記データチャネル領域または制御信号が割り当てられた前記制御チャネル領域と重複し、かつ互いに異なる領域となるようにするように、５本目以降の各前記送信アンテナから送信される共通参照信号の各リソースが割り当てられた第１のスケジューリング情報と、前記第１の領域とは異なる領域であって、前記データチャネル領域において前記データが割り当てられていない領域または前記制御チャネル領域において前記制御信号が割り当てられていない領域で、かつ互いに重複し、コード領域において異なる領域となるように、５本目以降の各前記送信アンテナから送信される個別参照信号の各リソースが割り当てられた第２のスケジューリング情報とを保持するスケジューリング情報保持部と、
前記第１または第２のスケジューリング情報に基づいて、前記データ、前記制御信号、及び共通参照信号または前記個別参照信号を受信する受信部とを備え、
前記受信部は所定のコードにより送信された前記共通参照信号を受信することを特徴とする端末装置。
【請求項２１】
基地局装置と端末装置との間で無線通信を行う無線通信システムにおける無線通信方法において、
５本以上の送信アンテナを有する前記基地局装置は、前記基地局装置のスケジューリング情報保持部に保持された第１または第２のスケジューリング情報に基づいて、データ、制御信号、個別参照信号、及び共通参照信号を送信し、
前記端末装置は、前記第１または前記第２のスケジューリング情報に基づいて、前記データ、制御信号、及び前記共通参照信号または前記個別参照信号を受信し、
前記第１のスケジューリング情報は、データチャネル領域と制御チャネル領域とを有し、ｍ（ｍは１≦ｍ＜５を満たす整数）本目までの各前記送信アンテナから送信される共通参照信号の各リソースが割り当てられた第１の領域とは異なる領域であって、データが割り当てられた前記データチャネル領域または制御信号が割り当てられた前記制御チャネル領域と重複し、かつ互いに異なる領域となるようにするように、５本目以降の各前記送信アンテナから送信される共通参照信号の各リソースが割り当てられ、
前記第２のスケジューリング情報は、前記第１の領域とは異なる領域であって、前記データチャネル領域において前記データが割り当てられていない領域または前記制御チャネル領域において前記制御信号が割り当てられていない領域で、かつ互いに重複し、コード領域において異なる領域となるように、５本目以降の各前記送信アンテナから送信される個別参照信号の各リソースが割り当てられ、
前記送信ステップにおいて、前記基地局装置は前記共通参照信号を所定のコードにより送信することを特徴とする無線通信方法。
【発明の詳細な説明】
【技術分野】
【０００１】
本発明は、無線通信システム、基地局装置、端末装置、及び無線通信システムにおける無線通信方法に関する。
【背景技術】
【０００２】
従来から、無線通信システムの一つであるＬＴＥ（Long-term
evolution）システムでは、共通参照信号（common reference signal、以下ＣＲＳ）を用いてダウンリンク方向のチャネル推定、コヒーレント検出、セルサーチ等が行われている（例えば、以下の非特許文献１〜３）。また、ＬＴＥシステムでは、複数の送信アンテナを用いてデータ等を送信することもでき（ＭＩＭＯ（Multi-Input
Multi-Output）と呼ばれる）、最大４本の送信アンテナを使用して送信している。【０００３】
さらに、無線通信システムの一つとしてＬＴＥ‐Ａ（LTE-Advance）システムもある（例えば、以下の非特許文献４）。ＬＴＥ‐Ａシステムでは、ＬＴＥシステムと同様にＣＲＳを用いてチャネル推定等が行われる。【０００４】
図２５はサブフレームの構成例を示す図である（例えば、以下の非特許文献１）。同図は、横軸は時間、縦軸は周波数を示し、４本の送信アンテナを用いてＣＲＳを送信する例を示す。基地局はスケジューリングされたサブフレームを用いて、各アンテナからＣＲＳやデータ等を送信する。端末も同図に示すようなサブフレームを保持し、各時間、各周波数で基地局からのＣＲＳやデータ等を受信する。【０００５】
図２６はチャネルリソースの割り当て例を示す図である（例えば、以下の非特許文献５）。例えば、１つのリソースブロックが図２５のサブフレームに相当する。基地局は、ＬＴＥ準拠の端末とＬＴＥ‐Ａ準拠の端末とが混在した状況でＣＲＳやデータ等を送信する場合もある。このような場合、基地局は同図に示すように、２種類のリソースブロック（ＬＴＥ準拠の端末に対するリソースブロックと、ＬＴＥ‐Ａ準拠の端末に対するリソースブロック）を用いて、ＣＲＳやデータ等を送信する。
【非特許文献１】3GPP TS 36.211
【非特許文献２】3GPP TS 36.222
【非特許文献３】3GPP TS 36.213
【非特許文献４】3GPP TR 36.913 v8.0.0
【非特許文献５】3GPP TSG RAN1 #55, R1-084251
【発明の開示】
【発明が解決しようとする課題】
【０００６】
上述したように、ＬＴＥやＬＴＥ‐Ａにおいて、基地局は最大４本の送信アンテナに対してＣＲＳ送信のためのリソースを割り当てている（図２５参照）。【０００７】
しかし、基地局が５本以上の送信アンテナを用いる場合、５本以上の各送信アンテナに対してどのように参照信号のリソースを割り当てるかはまだ決められていない。【０００８】
そこで、本発明の目的の一つは、５本以上の送信アンテナから参照信号を送信できるようにした無線通信システム、基地局装置、及び無線通信システムにおける無線通信方法を提供することにある。【０００９】
また、本発明の他の目的の一つは、リソースを有効活用した無線通信システム等を提供することにある。  
【課題を解決するための手段】
【００１０】
一態様によれば、基地局装置と端末装置との間で無線通信を行う無線通信システムにおいて、  前記基地局装置は、５本以上の送信アンテナと、データチャネル領域と制御チャネル領域とを有し、ｍ（ｍは１≦ｍ＜５を満たす整数）本目までの各前記送信アンテナから送信される共通参照信号の各リソースが割り当てられた第１の領域とは異なる領域であって、データが割り当てられた前記データチャネル領域または制御信号が割り当てられた前記制御チャネル領域と重複し、かつ互いに異なる領域となるようにするように、５本目以降の各前記送信アンテナから送信される共通参照信号の各リソースが割り当てられた第１のスケジューリング情報と、前記第１の領域とは異なる領域であって、前記データチャネル領域において前記データが割り当てられていない領域または前記制御チャネル領域において前記制御信号が割り当てられていない領域で、かつ互いに重複し、コード領域において異なる領域となるように、５本目以降の各前記送信アンテナから送信される個別参照信号の各リソースが割り当てられた第２のスケジューリング情報とを保持するスケジューリング情報保持部と、前記第１または第２のスケジューリング情報に基づいて、前記データ、前記制御信号、前記共通参照信号、及び前記個別参照信号を送信する送信部とを備え、前記端末装置は、前記第１または前記第２のスケジューリング情報に基づいて、前記データ、制御信号、及び前記共通参照信号または前記個別参照信号を受信する受信部を備え、前記送信部は前記共通参照信号を所定のコードにより送信する。【００１１】
また、他の態様によれば、端末装置と無線通信を行う基地局装置において、５本以上の送信アンテナと、データチャネル領域と制御チャネル領域とを有し、ｍ（ｍは１≦ｍ＜５を満たす整数）本目までの各前記送信アンテナから送信される共通参照信号の各リソースが割り当てられた第１の領域とは異なる領域であって、データが割り当てられた前記データチャネル領域または制御信号が割り当てられた前記制御チャネル領域と重複し、かつ互いに異なる領域となるようにするように、５本目以降の各前記送信アンテナから送信される共通参照信号の各リソースが割り当てられた第１のスケジューリング情報と、前記第１の領域とは異なる領域であって、前記データチャネル領域において前記データが割り当てられていない領域または前記制御チャネル領域において前記制御信号が割り当てられていない領域で、かつ互いに重複し、コード領域において異なる領域となるように、５本目以降の各前記送信アンテナから送信される個別参照信号の各リソースが割り当てられた第２のスケジューリング情報とを保持するスケジューリング情報保持部と、前記第１または第２のスケジューリング情報に基づいて、前記データ、前記制御信号、前記共通参照信号、及び前記個別参照信号を送信する送信部とを備え、前記送信部は前記共通参照信号を所定のコードにより送信する。【００１２】
さらに、他の態様によれば、５本以上の送信アンテナを有する基地局装置と無線通信を行う端末装置において、データチャネル領域と制御チャネル領域とを有し、ｍ（ｍは１≦ｍ＜５を満たす整数）本目までの各前記送信アンテナから送信される共通参照信号の各リソースが割り当てられた第１の領域とは異なる領域であって、データが割り当てられた前記データチャネル領域または制御信号が割り当てられた前記制御チャネル領域と重複し、かつ互いに異なる領域となるようにするように、５本目以降の各前記送信アンテナから送信される共通参照信号の各リソースが割り当てられた第１のスケジューリング情報と、前記第１の領域とは異なる領域であって、前記データチャネル領域において前記データが割り当てられていない領域または前記制御チャネル領域において前記制御信号が割り当てられていない領域で、かつ互いに重複し、コード領域において異なる領域となるように、５本目以降の各前記送信アンテナから送信される個別参照信号の各リソースが割り当てられた第２のスケジューリング情報とを保持するスケジューリング情報保持部と、前記第１または第２のスケジューリング情報に基づいて、前記データ、前記制御信号、及び共通参照信号または前記個別参照信号を受信する受信部とを備え、  前記受信部は所定のコードにより送信された前記共通参照信号を受信する。【００１３】
さらに、他の態様によれば、基地局装置と端末装置との間で無線通信を行う無線通信システムにおける無線通信方法において、５本以上の送信アンテナを有する前記基地局装置は、前記基地局装置のスケジューリング情報保持部に保持された第１または第２のスケジューリング情報に基づいて、データ、制御信号、個別参照信号、及び共通参照信号を送信し、前記端末装置は、前記第１または前記第２のスケジューリング情報に基づいて、前記データ、制御信号、及び前記共通参照信号または前記個別参照信号を受信し、前記第１のスケジューリング情報は、データチャネル領域と制御チャネル領域とを有し、ｍ（ｍは１≦ｍ＜５を満たす整数）本目までの各前記送信アンテナから送信される共通参照信号の各リソースが割り当てられた第１の領域とは異なる領域であって、データが割り当てられた前記データチャネル領域または制御信号が割り当てられた前記制御チャネル領域と重複し、かつ互いに異なる領域となるようにするように、５本目以降の各前記送信アンテナから送信される共通参照信号の各リソースが割り当てられ、前記第２のスケジューリング情報は、前記第１の領域とは異なる領域であって、前記データチャネル領域において前記データが割り当てられていない領域または前記制御チャネル領域において前記制御信号が割り当てられていない領域で、かつ互いに重複し、コード領域において異なる領域となるように、５本目以降の各前記送信アンテナから送信される個別参照信号の各リソースが割り当てられ、前記送信ステップにおいて、前記基地局装置は前記共通参照信号を所定のコードにより送信する。
【発明の効果】
【００１４】
５本以上の送信アンテナから参照信号を送信できるようにした無線通信システム、基地局装置、端末装置、及び無線通信システムにおける無線通信方法を提供できる。また、リソースを有効活用した無線通信システム等を提供できる。
【図面の簡単な説明】
【００１５】
【図１】図１は無線通信システムの構成例を示す図である。
【図２】図２は基地局の構成例を示す図である。
【図３】図３は端末装置の構成例を示す図である。
【図４】図４は他の端末装置の構成例を示す図である。
【図５】図５（Ａ）〜同図（Ｃ）はサブフレームの構成例を示す図であり、同図（Ｄ）は説明図である。
【図６】図６（Ａ）〜同図（Ｃ）はサブフレームの他の構成例を示す図であり、同図（Ｄ）は説明図である。
【図７】図７（Ａ）〜同図（Ｃ）はサブフレームの他の構成例を示す図であり、同図（Ｄ）は説明図である。
【図８】図８（Ａ）〜同図（Ｃ）はサブフレームの他の構成例を示す図である。
【図９】図９（Ａ）〜同図（Ｃ）はサブフレームの他の構成例を示す図である。
【図１０】図１０（Ａ）〜同図（Ｃ）はサブフレームの他の構成例を示す図である。
【図１１】図１１（Ａ）〜同図（Ｃ）はサブフレームの他の構成例を示す図であり、同図（Ｄ）は説明図である。
【図１２】図１２（Ａ）〜同図（Ｃ）はサブフレームの他の構成例を示す図であり、同図（Ｄ）は説明図である。
【図１３】図１３（Ａ）〜同図（Ｃ）はサブフレームの他の構成例を示す図であり、同図（Ｄ）は説明図である。
【図１４】図１４（Ａ）〜同図（Ｃ）はサブフレームの他の構成例を示す図であり、同図（Ｄ）は説明図である。
【図１５】図１５（Ａ）〜同図（Ｃ）はサブフレームの他の構成例を示す図であり、同図（Ｄ）は説明図である。
【図１６】図１６（Ａ）〜同図（Ｃ）はサブフレームの他の構成例を示す図であり、同図（Ｄ）は説明図である。
【図１７】図１７（Ａ）〜同図（Ｃ）はサブフレームの他の構成例を示す図であり、同図（Ｄ）は説明図である。
【図１８】図１８（Ａ）〜同図（Ｃ）はサブフレームの他の構成例を示す図であり、同図（Ｄ）は説明図である。
【図１９】図１９（Ａ）〜同図（Ｃ）はサブフレームの他の構成例を示す図であり、同図（Ｄ）は説明図である。
【図２０】図２０（Ａ），及び同図（Ｂ）はサブフレームの他の構成例を示す図であり、同図（Ｃ）は説明図である。
【図２１】図２１（Ａ）〜同図（Ｄ）は符号列の例を示し、同図（Ｅ）〜同図（Ｈ）は符号列の他の例を示す図である。
【図２２】図２２（Ａ）〜同図（Ｃ）は送信パワーの例を示す図である。
【図２３】図２３は基地局装置の動作例を示すフローチャートである。
【図２４】図２４（Ａ）は端末、同図（Ｂ）は他の端末の動作例をそれぞれ示すフローチャートである。
【図２５】図２５はサブフレームの他の構成例を示す図である。
【図２６】図２６はリソース割り当ての例を示す図である。
【符号の説明】
【００１６】
１０：無線通信システム                １００：基地局装置
１１１：第１の符号化部                １１２：第１の変調部
１１４：第１のＲＳ生成部              １１４１：第１のＣＲＳ生成部
１１４２：第２のＣＲＳ生成部          １２１：第２の符号化部
１２２：第２の変調部                  １２４：第２のＲＳ生成部
１３０：制御信号生成部                １３１：第３の符号化部
１３２：第３の変調部                  １４０：スケジューラ
１５０：多重化部                      １６０‐０〜１６０‐７：ＲＦ部
１７０‐０〜１７０‐７：送信アンテナ  ２００：端末装置
２１０：受信アンテナ                  ２１１：ＲＦ部
２１２：復調部                        ２１３：ＣＲＳ推定部
２１４：復号化部                      ３００：端末装置
３１０：受信アンテナ                  ３１１：ＲＦ部
３１２：復調部                        ３１３：ＲＳ推定部
３１３０：ＤＲＳ推定部                ３１３１：ＣＲＳ推定部
【発明を実施するための最良の形態】
【００１７】
本発明を実施するための形態について以下説明する。【００１８】
＜第１の実施例＞
第１の実施例について説明する。図１は無線通信システム１０の構成例を示す図である。【００１９】
基地局装置１００と端末装置２００（または３００）との間で無線通信を行う無線通信システム１０において、基地局装置１００は、５本以上の送信アンテナ１７０と、データチャネル領域と制御チャネル領域とを有し、ｍ（ｍは１≦ｍ＜５を満たす整数）本目までの各前記送信アンテナ１７０から送信される共通参照信号の各リソースが割り当てられた第１の領域とは異なる領域であって、データが割り当てられた前記データチャネル領域または制御信号が割り当てられた前記制御チャネル領域と重複し、かつ互いに異なる領域となるようにするように、５本目以降の各前記送信アンテナ１７０から送信される共通参照信号の各リソースが割り当てられた第１のスケジューリング情報と、前記第１の領域とは異なる領域であって、前記データチャネル領域において前記データが割り当てられていない領域または前記制御チャネル領域において前記制御信号が割り当てられていない領域で、かつ互いに重複し、コード領域において異なる領域となるように、５本目以降の各前記送信アンテナ１７０から送信される個別参照信号の各リソースが割り当てられた第２のスケジューリング情報とを保持するスケジューリング情報保持部１８０と、前記第１または第２のスケジューリング情報に基づいて、前記データ、前記制御信号、前記共通参照信号、及び前記個別参照信号を送信する送信部１８１とを備え、前記端末装置２００（３００）は、前記第１または前記第２のスケジューリング情報に基づいて、前記データ、制御信号、及び前記共通参照信号または前記個別参照信号を受信する受信部２３０を備え、前記送信部１８１は前記共通参照信号を所定のコードにより送信する。【００２０】
送信部１８１は、スケジューリング情報保持部１８０から第１のスケジューリング情報を読み出して、第１のスケジューリング情報に基づいて、データ、制御信号、送信アンテナ１７０から送信される共通参照信号とを送信する。【００２１】
また、送信部１８１は、スケジューリング情報保持部１８０から第２のスケジューリング情報を読み出して、この第２のスケジューリング情報に基づいて、データ、制御信号、送信アンテナ１７０‐０〜１７０‐３から送信される共通参照信号、送信アンテナ１７０‐４，…から送信される個別参照信号とを送信する。【００２２】
端末装置２００（３００）の受信部は、第１のスケジューリング情報に基づいて、データ、制御信号、送信アンテナ１７０から送信される共通参照信号を受信し、第２のスケジューリング情報に基づいて、データ、制御信号、送信アンテナ１７０‐０〜１７０‐３から送信される共通参照信号、送信アンテナ１７０‐４，…から送信される個別参照信号とを受信する。【００２３】
第１のスケジューリング情報において、送信アンテナ１７０‐４以降の各送信アンテナから送信される共通参照信号はデータまたは制御信号と重複したリソースを用いて送信されるため、５本以上の送信アンテナ１７０‐４，…から共通参照信号を送信でき、さらに、重複したリソースを用いて送信されるため、リソースの有効活用を図ることができる。【００２４】
また、第２のスケジューリング情報において、送信アンテナ１７０‐４以降の各送信アンテナから送信される個別参照信号はデータ等と重複していないリソースを用いて送信され、各個別参照信号は互いに重複したリソースを用いて送信される。よって、５本以上の送信アンテナ１７０‐４，…から個別参照信号を送信できる。また、互いに重複したリソースにより各個別参照信号が送信され、他のリソースを用いていないため、リソースの有効活用を図ることができる。【００２５】
＜第２の実施例＞
図２は無線通信システム１０における基地局装置（以下、基地局）１００、図３及び図４は端末装置２００，３００の構成例を示す図である。【００２６】
図２に示すように基地局１００は、第１の符号化部（Encoder）１１１、第１の変調部（Modulator）１１２、第１のＲＳ（reference
signal:参照信号）生成部１１４、第２の符号化部（Encoder）１２１、第２の変調部１２２、第２のＲＳ生成部１２４、制御信号生成部１３０、第３の符号化部１３１、第３の変調部１３２、スケジューラ１４０、多重化部１５０、ＲＦ部（Radio
Frequency）１６０‐０〜１６０‐７、送信アンテナ１７０‐０〜１７０‐７とを備える。基地局１００は、複数の送信アンテナ１７０‐０〜１７０‐７を用いてデータ等を送信する（ＭＩＭＯ（Multi-Input
Multi-Output））。【００２７】
第１の符号化部１１１は、ＬＴＥ準拠の端末２００が受信できるデータ１１０が入力され、符号化されたデータを出力する。【００２８】
第１の変調部１１２は、第１の符号化部１１１から出力されたデータを変調して出力する。【００２９】
第１のＲＳ生成部１１４は、第１のＣＲＳ生成部１１４１と、第２のＣＲＳ生成部１１４２とを備える。【００３０】
第１のＣＲＳ生成部１１４１は、送信アンテナ１７０‐０〜１７０‐３から送信されるＣＲＳ（common
reference signal：共通参照信号）を生成する。【００３１】
第２のＣＲＳ生成部１１４２は、送信アンテナ１７０‐４〜１７０‐７から送信されるＣＲＳを生成する。【００３２】
第２の符号化部１２１は、ＬＴＥ‐Ａ準拠の端末３００が受信できるデータ１２０が入力され、符号化されたデータを出力する。【００３３】
第２の変調部１２２は、第２の符号化部１２１から出力されたデータを変調して出力する。【００３４】
第２のＲＳ生成部１２４は、第３のＣＲＳ生成部１２４１と、ＤＲＳ生成部１２４２とを備える。【００３５】
第３のＣＲＳ生成部１２４１は、送信アンテナ１７０‐０〜１７０‐３から送信されるＣＲＳを生成する。【００３６】
ＤＲＳ生成部１２４２は、送信アンテナ１７０‐４〜１７０‐７から送信されるＤＲＳ（dedicated
reference signal：個別参照信号）を生成する。【００３７】
制御信号生成部１３０は制御信号を生成する。【００３８】
第３の符号化部１３１は、制御信号生成部１３０から出力された制御信号を符号化する。【００３９】
第３の変調部１３２は、第３の符号化部１３１から出力された符号化された制御信号を変調する。【００４０】
スケジューラ１４０は、スケジューリング情報（サブフレームまたは無線フレーム）を保持し、多重化部１５０に出力する。スケジューリング情報は、ＬＴＥ準拠の端末２００に対する第１のスケジューリング情報と、ＬＴＥ‐Ａ準拠の端末３００に対する第２のスケジューリング情報を含む。スケジューリング情報の詳細は後述する。【００４１】
多重化部１５０は、第１の変調部１１２からのデータと第１のＲＳ生成部１１４からのＣＲＳ、及び制御信号生成部１３０からの制御信号に対し、スケジューラ１４０からの第１の無線フレームスケジューリング情報に基づいてマッピング等を行う。また、多重化部１５０は、第２の変調部１２２からのデータと第２のＲＳ生成部１２４からのＣＲＳとＤＲＳ、及び制御信号生成部１３０からの制御信号に対し、スケジューラ１４０からの第２のスケジューリング情報に基づいてマッピング等を行う。多重化部１５０は、マッピングされた２つのデータ等を多重化して出力する。【００４２】
ＲＦ部１６０‐０〜１６０‐７は、各々、多重化部１５０からのデータ等を無線信号に変換して出力する。【００４３】
送信アンテナ１７０‐０〜１７０‐７は、ＲＦ部１６０‐０〜１６０‐７からの無線信号を端末２００，３００に送信する。【００４４】
次に無線通信システム１０における端末２００，３００の構成例について説明する。図３はＬＴＥ準拠の端末２００、図４はＬＴＥ‐Ａ準拠の端末３００の各構成例を示す図である。【００４５】
端末２００は、受信アンテナ２１０、ＲＦ部２１１、復調部（demodulator）２１２、ＣＲＳ推定部（CRS Estimator）２１３、復号化部（Decoder）２１４を備える。【００４６】
受信アンテナ２１０は、基地局１００から送信されたデータやＣＲＳ等を含む無線信号を受信する。【００４７】
ＲＦ部２１１は、受信アンテナ２１０で受信した無線信号を、基地局１００における無線信号変換前のデータ等に変換する。【００４８】
復調部２１２はＲＦ部２１１からの出力に対してデータを復調する。【００４９】
復号化部２１４は復調されたデータを復号する。復号後のデータは、各種処理部において音声処理等が施される。【００５０】
ＣＲＳ推定部２１３は、ＲＦ部２１１から出力された信号に対して、スケジューリング情報に基づいてＣＲＳを推定する。スケジューリング情報は、基地局１００が保持する第１のスケジューリング情報と同じ情報であり、例えばＣＲＳ推定部２１３に保持される。ＣＲＳ推定部２１３は、本実施例において、基地局１００の送信アンテナ１７０‐０〜１７０‐３から送信されたＣＲＳを推定する。【００５１】
また、ＣＲＳ推定部２１３は、ＣＲＳに基づいてチャネル推定、コヒーレント検出等の処理を行う。この場合、ＣＲＳ推定部２１３は、測定結果等をフィードバック情報（例えばＣＱＩ（Channel
Quality Indicator））として基地局１００に送信する。また、ＣＲＳ推定部２１３はコヒーレント検出の検出結果を復調部２１２に出力する。復調部２１２は検出結果に基づいてデータを復調する。【００５２】
ＬＴＥ‐Ａ準拠の端末３００は、受信アンテナ３１０と、ＲＦ部３１１と、復調部（Demodulator）３１２と、ＲＳ推定部（RS Estimator）３１３と、デコーダ（decoder）３１４とを備える。【００５３】
受信アンテナ３１０は、基地局１００から送信された無線信号を受信する。【００５４】
ＲＦ部３１１は、受信アンテナ３１０で受信した無線信号を、基地局１００における無線信号変換前のデータ等に変換する。【００５５】
復調部３１２は、ＲＦ部３１１からの出力に対してデータを復調する。【００５６】
復号化部３１４は、復調されたデータを復号する。復号後のデータは、各種処理部において音声処理等が施される。【００５７】
ＲＳ推定部３１３は、ＤＲＳ推定部３１３０と、ＣＲＳ推定部３１３１とを備える。【００５８】
ＤＲＳ推定部３１３０は、ＲＦ部３１１の出力に対して、基地局１００の送信アンテナ１７０‐４〜１７０‐７から送信されたＤＲＳを推定する。ＤＲＳ推定部３１３０は、スケジューリング情報に基づいてＤＲＳを推定する。スケジューリング情報は基地局１００が保持する第２のスケジューリング情報と同じである。たとえば、ＤＲＳ推定部３１３０はかかるスケジューリング情報を保持する。【００５９】
なお、ＤＲＳは各端末３００に割り当てられた参照信号であり、端末３００はこのＤＲＳを用いてチャネル推定、コヒーレント検出等を行うことで、ＣＲＳと比較して高い精度のチャネル推定等を行うことができる。ＤＲＳ推定部３１３０は、品質測定結果を例えばＣＱＩとして基地局１００に送信する。また、ＤＲＳ推定部３１３０は、コヒーレント検出結果を復調部３１２に出力する。復調部３１２はこの検出結果に基づいてデータを復調する。【００６０】
ＣＲＳ推定部３１３１は、ＲＦ部３１１の出力に対して、基地局１００の送信アンテナ１７０‐０〜１７０‐３から送信されたＣＲＳを推定する。ＣＲＳ推定部３１３１は、送信アンテナ１７０‐４〜１７０‐７から送信されるＣＲＳを推定してもよい。ＣＲＳの推定は、スケジューリング情報（例えば第１及び第２のスケジューリング情報、または第２のスケジューリング情報）に基づいて行われる。例えば、ＣＲＳ推定部３１３１はかかるスケジューリング情報を保持する。【００６１】
また、ＣＲＳ推定部３１３１は、推定したＣＲＳに基づいて品質測定やコヒーレント検出等の処理を行い、例えばＣＱＩとして測定結果を基地局１００に送信し、検出結果を復調部３１２に出力する。復調部３１２は検出結果を用いて復調を行う。【００６２】
ＬＴＥ準拠の端末２００は、ＣＲＳのうち送信アンテナ１７０‐０〜１７０‐３から送信されたＣＲＳを推定し、ＬＴＥ準拠の端末３００は送信アンテナ１７０‐０〜１７０‐７から送信されたＣＲＳを推定する。これは、上述したスケジューリング情報（第１のスケジューリング情報や第２のスケジューリング情報）に基づいて推定すればよい。【００６３】
また、例えば、端末２００，３００は、制御信号を受信信号から読み出して、その後、データを読み出すか否かを判断してもよい。この場合、端末２００のＣＲＳ推定部２１３で制御信号を復調等し、当該制御信号に基づいてデータを読み出すか否かを判断し、読み出す場合にその結果を復調部２１２に通知すればよい。復調部２１２は当該通知に基づいてデータを復調等する。同様に、端末３００のＤＲＳ推定部３１３０またはＣＲＳ推定部３１３１で制御信号を復調等してデータを読み出すか否かを判断し、読み出す場合にその結果を復調部３１２に通知すればよい。  【００６４】
次に、基地局１００のスケジューラ１４０等で保持されるスケジューリング情報の例について説明する。スケジューリング情報は、第１のスケジューリング情報（例えば、ＬＴＥ準拠の端末２００に対するもの）と、第２のスケジューリング情報（例えば、ＬＴＥ‐Ａ準拠の端末３００に対するもの）との２種類がある。【００６５】
第１のスケジューリング情報には、送信アンテナ１７０‐４〜１７０‐７から送信されるＣＲＳのリソースエレメントが含まれ、第２のスケジューリング情報には、送信アンテナ１７０‐４〜１７０‐７から送信されるＤＲＳのリソースエレメントが含まれる。なお、端末２００は第１のスケジューリング情報に基づいてＣＲＳ等を受信でき、端末３００は第２のスケジューリング情報に基づいてＤＲＳ等を受信できる。【００６６】
第１のスケジューリング情報について説明する。図５（Ａ）〜同図（Ｃ）はサブフレームの構成例を示す図である。基地局１００のスケジューラ１４０、端末２００のＣＲＳ推定部２１３、端末３００のＲＳ推定部３１３等は、スケジューリング情報として同図に示すサブフレームを保持する。【００６７】
図５（Ａ）〜同図（Ｃ）は説明を容易にするため３層に分けているが、実際にはこれらの層が加算されたものがサブフレームとして保持される。図５（Ａ）〜同図（Ｃ）は横軸が時間軸方向、縦軸が周波数軸方向を示し、各ブロックがリソースエレメントを示す。なお、図５（Ｄ）は同図（Ａ）等に示されるリソースエレメントを説明するための図である。【００６８】
図５（Ａ）〜同図（Ｃ）に示されるように、送信アンテナ１７０‐０〜１７０‐３から送信されるＣＲＳのリソースエレメントは、制御信号（ＰＤＣＣＨ）とデータ（ＰＤＳＣＨ）とが割り当てられるリソースエレメントとは重複しない領域に割り当てられている。【００６９】
一方、送信アンテナ１７０‐４〜１７０‐７から送信されるＣＲＳのリソースエレメントは、送信アンテナ１７０‐０〜１７０‐３から送信されるＣＲＳのリソースエレメントとは重複しない領域であって、データが割り当てられているリソースエレメントと重複した領域に割り当てられる（「ｓｕｐｅｒ‐ｐｏｓｉｔｉｏｎ  ｍａｎｎｅｒ」とも言う）。【００７０】
図５（Ａ）等の例は、各送信アンテナ１７０‐４〜１７０‐７から送信される各ＣＲＳのリソースエレメント（全部で１２個）が、データのリソースエレメント領域であって、同一のタイミング（同一の時間領域）で、１サブフレームの複数の周波数帯域（複数の周波数領域）にわたり、割り当てられている例である。【００７１】
このように、送信アンテナ１７０‐４〜１７０‐７から送信されるＣＲＳのリソースエレメントを割り当てることで、基地局１００の送信アンテナ１７０‐４〜１７０‐７からＣＲＳを送信することができる。また、端末２００，３００はかかるスケジューリング情報に基づいて所定のタイミング、周波数で当該ＣＲＳを受信できる。【００７２】
なお、送信アンテナ１７０‐４〜１７０‐７から送信されるＣＲＳは所定のコードにする。例えば、かかるコードは基地局１００の第２及び第３のＣＲＳ生成部１１４２，１２４１で生成される。当該ＣＲＳが所定のコードにより送信されているため、端末２００，３００は当該ＣＲＳと重複した領域にあるデータと区別して当該ＣＲＳを復調等行うことができる。所定のコードについては後述する。【００７３】
また、基地局１００は、かかるＣＲＳと重複した領域にあるデータを当該ＣＲＳよりも高い送信パワーで送信する。高い送信パワーで送信されたデータにより、端末２００，３００は当該ＣＲＳと区別してデータを復調等することができる。送信パワーについては後述する。なお、当該ＣＲＳはデータよりも送信パワーが小さいものの、複数のリソースエレメントを用いて送信されているため、これらを集めることで当該ＣＲＳを読み出すことができる。【００７４】
次に第１のスケジューリング情報の変形例について説明する。図６（Ａ）〜図１２（Ｄ）は変形例を示す図である。【００７５】
図６（Ａ）〜図６（Ｃ）は、１サブフレームのデータ領域であって、１サブフレーム内の同一の周波数帯域に各送信アンテナ１７０‐４〜１７０‐７から送信される各ＣＲＳが割り当てられている例である。基地局１００は、あるタイミングで周波数方向に向けて符号化を行う場合、図６（Ａ）のようにＣＲＳを割り当てることで同一送信アンテナ１７０‐４〜１７０‐７からのＣＲＳが分散するため、例えば端末２００，３００でＣＲＳを復号する際に有利である。【００７６】
図７（Ａ）〜図７（Ｄ）は、データ領域において、周波数領域と時間領域で互いに異なるリソースエレメントであって、周波数領域と時間領域とで互いに重複しないように、各送信アンテナ１７０‐４〜１７０‐７から送信される各ＣＲＳが割り当てられる例である。各端末２００，３００においてこれらのＣＲＳを復号する際に、分散した領域に各ＣＲＳが割り当てられているため、図５（Ａ）等の場合と比較してエラーレートを低くすることができる。【００７７】
図８（Ａ）〜図８（Ｃ）は、各送信アンテナ１７０‐４〜１７０‐７から送信される各ＣＲＳのパターン構成の例を示す図である。【００７８】
図８（Ａ）は、図５（Ａ）の例に対応し、各サブフレームに送信アンテナ１７０‐４〜１７０‐７の全てのＣＲＳが割り当てられる例である。図８（Ａ）の例は、最もＣＲＳの密度の大きいサブフレームの例を示す。【００７９】
図８（Ｂ）は、１番目のサブフレームに送信アンテナ１７０‐４，１７０‐５のＣＲＳ、２番目のサブフレームに送信アンテナ１７０‐６，１７０‐７のＣＲＳを割り当て、これを繰り返す例である。このように、１つのサブフレーム内に送信アンテナ１７０‐４〜１７０‐７の全てのＣＲＳを割り当てるのではなく、当該ＣＲＳの密度を低くすることもできる。各サブフレームにおいてＣＲＳ送信の負荷が軽減され、図８（Ａ）の例と比較して、ＣＲＳのリソースエリアが少ないため、端末２００，３００はデータ領域に割り当てられるデータを少ないエラーレートで受信できる。【００８０】
なお、図８（Ｂ）の例では、１番目のサブフレームと２番目のサブフレームとを交互に切り替えることになるが、例えば基地局１００のスケジューラ１４０は所定のタイミングでこれらのサブフレームを交互に切り替えて多重化部１５０に出力すればよい。また、端末２００，３００は、例えば、ＣＲＳ推定部２１３、ＤＲＳ推定部３１３０、ＣＲＳ推定部３１３１に保持した各サブフレームを所定のタイミングで交互に切り替えてＣＲＳ等を受信すればよい。【００８１】
図８（Ｃ）は、各サブフレームに各送信アンテナ１７０‐４〜１７０‐７から送信される各ＣＲＳを一つずつ割り当てた例である。この例では、４つのサブフレームが順次繰り返される。例えば基地局１００のスケジューラ１４０が４つのサブフレームを保持し、所定のタイミングで順次切り替えて多重化部１５０に出力する。端末２００，３００もＣＲＳ推定部２１３等が保持したサブフレームを順次切り替えればよい。かかる切り替えを行う切り替え部が多重化部１５０またはスケジューラ１４０、ＣＲＳ推定部２１３、ＤＲＳ推定部３１３０、ＣＲＳ推定部３１３１となる。【００８２】
図９（Ａ）〜図９（Ｃ）は図６（Ａ）等に対応する例である。図９（Ａ）は各サブフレームに各ＣＲＳが割り当てられる例、同図（Ｂ）は２つのＣＲＳが交互に各サブフレームに割り当てられる例、同図（Ｃ）は各ＣＲＳが各サブフレームに割り当てられる例をそれぞれ示す。図８（Ｂ）等の場合と同様に、この例においても、基地局１００はＣＲＳ送信の負荷が軽減され、端末２００，３００は少ないエラーレートでデータを受信できる。【００８３】
図１０（Ａ）〜図１０（Ｃ）は図７（Ａ）等に対応する例である。図１０（Ａ）は周波数領域と時間領域で各ＣＲＳが互いに重複しないように割り当てられている例で最も密度の大きい例である。同図（Ｂ）はかかる場合で、２つのＣＲＳが交互に各サブフレームに割り当てられている例、同図（Ｃ）は各ＣＲＳが各サブフレームに割り当てられる例をそれぞれ示す。これらの場合でも、基地局１００はＣＲＳ送信の負荷が軽減され、端末２００，３００は少ないエラーレートでデータを受信できる。【００８４】
次に、第２のスケジューリング情報について説明する。第２のスケジューリング情報にはＤＲＳのリソースが含まれる。【００８５】
図１１（Ａ）〜同図（Ｃ）は第２のスケジューリング情報の例を示す図である。同図（Ａ）〜同図（Ｃ）は説明を容易にするため３層に分けているが、実際にはこれらの層が加算されたものがサブフレームとして基地局１００や端末３００に保持される。同図（Ａ）〜同図（Ｃ）は横軸が時間軸方向、縦軸が周波数軸方向を示し、各ブロックがリソースエレメントを示す。なお、同図（Ｄ）は同図（Ａ）等に示されるリソースエレメントを説明するための図である。【００８６】
同図（Ａ）に示すように、各送信アンテナ１７０‐４〜１７０‐７から送信されるＤＲＳは、データ領域（ＰＤＳＣＨ）においてデータが割り当てられていない領域で、各送信アンテナ１７０‐０〜１７０‐３から送信される各ＣＲＳのリソースエレメントと重複しない領域に、さらに各送信アンテナ１７０‐４〜１７０‐７から送信される各ＤＲＳのリソースエレメントが重複するように割り当てられている（「ＣＤＭ（code
division multiplexing）  ｍａｎｎｅｒ」とも言う）。さらに、各送信アンテナ１７０‐４〜１７０‐７から送信される各ＤＲＳはコード領域（同図（Ａ）中、上方向）において互いに異なる領域に割り当てられる。【００８７】
このように、データが含まれていない領域にＤＲＳを割り当てることで、端末３００は例えば少ないエラーレートでＤＲＳを受信でき、端末３００は個別に割り当てられたＤＲＳを用いて、精度の高い品質測定や復調のためのコヒーレント検出等を行うことができる。【００８８】
また、各送信アンテナ１７０‐４〜１７０‐７から送信される各ＤＲＳのリソースエレメントが重複して割り当てられているため、各ＤＲＳがそれぞれ別々の領域に割り当てられる場合と比較して、リソースエレメントを有効活用することができる。【００８９】
次に第２のスケジューリング情報の変形例について説明する。図１２（Ａ）〜図１２（Ｃ）は、サブフレーム内のデータ領域であって、１サブフレームの同一の周波数に送信アンテナ１７０‐４〜１７０‐７から送信される全ＤＲＳが割り当てられている例である。図６（Ａ）の例と同様に、符号化は周波数軸方向に向けて行われる場合に、ＤＲＳが分散するため、端末３００でＤＲＳを復号する際に有利である。【００９０】
図１３（Ａ）〜同図（Ｄ）は、ＤＲＳがデータ領域において周波数領域と時間領域で互いに異なるリソースエレメントであって、周波数領域と時間領域で互いに重複しないようにＤＲＳが割り当てられている例である。図７（Ａ）等と同様に、分散した領域にＤＲＳが割り当てられているため、図１１（Ａ）等の場合と比較してエラーレートを低くすることができる。【００９１】
図１４（Ａ）〜図１９（Ｄ）まではＤＲＳのパターンの構成例を示す図である。各サブフレームにすべてのＤＲＳを割り当てるのではなく、図１４（Ａ）に示すように各サブフレームに２つ、図１５（Ａ）に示すように各サブフレームに１つとすることもできる。１サブフレーム中のＤＲＳの密度が低くなるため、基地局１００のＤＲＳの送信負荷が軽減される。また、図１１（Ａ）の場合と比較してデータ領域においてデータを割り当てるリソースエレメントが増加するため、その分だけ基地局１００はデータを多く送信でき、例えば端末３００はスループットを向上させることができる。なお、図１４（Ａ）及び図１５（Ａ）の例は、同一のタイミングで１サブフレームの全周波数帯域にわたりＤＲＳが割り当てられている例である。【００９２】
図１６（Ａ）〜同図（Ｄ）は、１サブフレームに重複したＤＲＳを２つ割り当てた例であり、ＤＲＳを４つ割り当てた図１２（Ａ）等の場合と比較してＤＲＳの密度を低くなる。また、図１７（Ａ）〜同図（Ｄ）は、１サブフレームに重複したＤＲＳを１つ割り当てた例であり、さらにＤＲＳの密度を低くしている。【００９３】
また、図１８（Ａ）〜図１９（Ｄ）もＤＲＳの密度を低くした例である。【００９４】
このような密度の低いサブフレームについて、図８（Ａ）〜図１０（Ｃ）で示したように、少なくとも一つのＤＲＳについてのリソースエレメントがサブフレーム内にあればよい。さらに、図８（Ａ）〜図１０（Ｃ）で示したように、互いに切り替えを行うようにしてもよい。かかる切り替えを行う切り替え部が多重化部１５０またはスケジューラ１４０、ＣＲＳ推定部２１３、ＤＲＳ推定部３１３０、ＣＲＳ推定部３１３１となる。【００９５】
ＤＲＳの密度を低くする場合でも、基地局１００はＤＲＳの送信負荷が軽減され、また、データが割り当てられるリソースエレメントが増加するため端末３００はスループットの向上を図ることができる。【００９６】
このＤＲＳはＣＲＳの役割を果たすこともできる。図２０（Ａ）〜同図（Ｃ）はかかる例を示す図である。同図（Ａ）は送信アンテナ１７０‐４〜１７０‐７から送信されるＣＲＳのリソース割り当ての例を示す。同図（Ｂ）は、当該ＣＲＳが割り当てられたリソースエレメントと同一の領域に、重複した４つのＤＲＳが割り当てられている例を示す図である。同図（Ｂ）に示すように、送信アンテナ１７０‐４から送信されるＤＲＳ（ＲＳ  Ａｎｔ４）は同一のアンテナから送信されるＣＲＳと同じ領域に割り当てられている。例えば、端末３００はＤＲＳのうち送信アンテナ１７０‐４から送信されるＤＲＳを同一アンテナから送信されるＣＲＳとして、例えばチャネル品質測定を行い、ＣＱＩフィードバック情報等を使うこともできる。【００９７】
なお、本実施例において、このようなＣＲＳの役割も果たすＤＲＳを「Ｄｕａｌ‐Ｔｙｐｅ  ＤＲＳ」、それ以外のＤＲＳを「Ｓｏｌｅ‐Ｔｙｐe  ＤＲＳ」と呼ぶことにする。【００９８】
次に、送信アンテナ１７０‐４〜１７０‐７から送信されるＣＲＳ、ＤＲＳの符号列の例について説明する。【００９９】
図２１（Ａ）〜同図（Ｄ）は、送信アンテナ１７０‐４〜１７０‐７からそれぞれ送信されるＣＲＳまたはＤＲＳの符号例の例を示す図である。例えば、図５（Ａ）の例において各ＣＲＳは１２個のリソースエレメントが割り当てられており、送信アンテナ１７０‐４から送信されるＣＲＳの符号列を（＋１，＋１，＋１，＋１，＋１，＋１，＋１，＋１，＋１，＋１，＋１，＋１）（Ｓｅｑｕｅｎｃｅ‐０）とすることができる。この場合に、かかる符号列は、他のどの符号列（Ｓｅｑｕｅｎｃｅ‐１〜Ｓｅｑｕｅｎｃｅ‐３）に対し、各符号を互いに乗算し、乗算したものを加算したとしても加算値はすべて「０」となり、互いに相関性を有している。このような符号系列は「Ｗａｌｓｈ  ｃｏｄｅ」と呼ばれる。【０１００】
ＣＲＳにかかる符号系列を用いると、端末２００，３００は重複したリソースエレメント領域にあるデータからの干渉を抑制し、容易にＣＲＳを復号できる。また、ＤＲＳにかかる符号系列を用いると、端末３００は容易にＤＲＳを復号できる。【０１０１】
なお、端末２００，３００はこのような符号系列のＣＲＳ、ＤＲＳを推定し、ＣＲＳやＤＲＳを用いて、例えばＣＲＳ推定部２１３やＤＲＳ推定部３１３０、ＣＲＳ推定部３１３１でチャネル推定等を行う。このとき、ＣＲＳ推定部２１３等は全１２個の符号系列のうち、例えば４個づつの符号系列を用いてチャネル推定を行い、３つの推定結果を出力することもできる。全１２個の符号系列を用いて一度にチャネル推定が行われると全体として平均化されるものの、３つの推定結果を用いることで、例えば局所的な変化を検出できる。【０１０２】
図２１（Ｅ）〜同図（Ｈ）は、ＣＲＳ及びＤＲＳに用いられる他の符号系列の例を示す図である。この符号系列は「Ｂａｒｋｅｒ  Ｓｅｑｕｅｎｃｅ」と呼ばれ、「Ｗａｌｓｈ  ｃｏｄｅ」と同様に各符号系列（Ｓｅｑｕｅｎｃｅ‐０〜Ｓｅｑｕｅｎｃｅ‐３）は互いに相関性を有する。かかる系列を用いることで、端末２００，３００はデータからの干渉を抑制でき、容易にＣＲＳやＤＲＳを復号できる。【０１０３】
次に、ＣＲＳとＤＲＳのパワー制御について説明する。送信アンテナ１７０‐４〜１７０‐７から送信されるＣＲＳは、データが送信されるデータ領域（ＰＤＳＣＨ）においてデータと重複したリソースエレメントに割り当てるようにした（図５（Ａ）〜図１０（Ｄ））。各送信アンテナ１７０‐４〜１７０‐７から送信されるデータ等の送信パワーの大きさは予め決められている。従って、基地局１００は、当該ＣＲＳを送信する場合に、データの送信パワーを当該ＣＲＳの送信パワーよりも大きくし、両者を合わせたものが予め決められた送信パワーとなるようにする。基地局１００は、各送信パワーでデータとＣＲＳを同時にかつ同一周波数で送信できる。【０１０４】
図２２（Ａ）及び同図（Ｂ）はパワー制御の例を示す図であり、同図（Ａ）は、ノイズを見込んだ上で、各々の送信パワーでデータとＣＲＳとを送信する例を示す図である。同図（Ｂ）の例は、ＤＲＳの送信例である。ＤＲＳの場合は、同一のリソースエレメントに重複して各ＤＲＳが割り当てられるため、例えば「Ｄｕａｌ‐Ｔｙｐｅ  ＤＲＳ」は「Ｓｏｌｅ‐Ｔｙｐe  ＤＲＳ」よりも大きな送信パワーとなるように各々の送信パワーを決めておき、全体として各送信アンテナ１７０‐４〜１７０‐７から送信されるパワー上限となるようにすればよい。同図（Ｂ）に示すように、ノイズを考慮した上で各送信パワーを決定してもよい。【０１０５】
ただし、「Ｄｕａｌ‐Ｔｙｐｅ  ＤＲＳ」は「Ｓｏｌｅ‐Ｔｙｐｅ  ＤＲＳ」と同じ送信パワーにしてもよいし、異なる送信パワーにしてもよい。「Ｄｕａｌ‐Ｔｙｐｅ  ＤＲＳ」は、図２２（Ａ）及び同図（Ｂ）に示すようにＣＲＳの送信パワーと同じにすればよい。【０１０６】
例えば、基地局１００の第２のＣＲＳ生成部１１４２は、第１のＣＲＳ生成部１１４１または第１の変調部１１２から出力されるＣＲＳまたはデータに対して、ウェイトをかけて出力することで、上述のパワー制御を行うことができる。また、ＤＲＳに対しては、ＤＲＳ生成部１２４２から出力される各ＤＲＳに対してウェイトをかけるようにすればよい。【０１０７】
図２２（Ｃ）は、各サブフレームで送信アンテナ１７０‐４〜１７０‐７から送信されるＣＲＳを含むリソースエレメントと、ＤＲＳを含むリソースエレメントとの送信パワーの例を示す図である。上述したように、重複したＤＲＳの一部をＣＲＳとして用いることができる。この場合に、かかる「Ｄｕａｌ‐Ｔｙｐｅ  ＤＲＳ」の送信パワーは、送信アンテナ１７０‐４〜１７０‐７から送信されるＣＲＳの送信パワーと同じにする必要がある。端末３００のＤＲＳ推定部３１３０は、ＣＲＳ（または「Ｄｕａｌ‐Ｔｙｐｅ  ＤＲＳ」）の送信パワーの情報を保持することで、複数のＤＲＳの中から「Ｄｕａｌ‐Ｔｙｐｅ  ＤＲＳ」として用いるＤＲＳを容易に推定できる。【０１０８】
次に動作について説明する。図２３は基地局１００、図２４（Ａ）は端末２００、同図（Ｂ）は端末３００の動作例をそれぞれ示す図である。【０１０９】
基地局１００は処理を開始すると（Ｓ１０）、制御信号生成部１３０は制御信号を生成する（Ｓ２０）。次いで、第３の符号化部１３１は制御信号を符号化し（Ｓ２１）、第３の符号化部１３１は符号化された制御信号を変調して多重化部１５０に出力する（Ｓ２２）。【０１１０】
一方、データは各々第１及び第２の符号化部１１１，１２１に出力され（Ｓ３０）、第１及び第２の符号化部１１１，１２１はデータを符号化する（Ｓ３１）。次いで、第１及び第２の変調部１１２，１２２は、符号化されたデータをそれぞれ変調し多重化部１５０に出力する（Ｓ３２）。【０１１１】
また、第１及び第３のＣＲＳ生成部１１４１は、送信アンテナ１７０‐０〜１７０‐３から送信されるＣＲＳを生成し、多重化部１５０にそれぞれ出力する（Ｓ４０）。【０１１２】
さらに、第２のＣＲＳ生成部１１４２は、送信アンテナ１７０‐４〜１７０‐７から送信されるＣＲＳを生成し、多重化部１５０に出力する（Ｓ５０）。このとき、第２のＣＲＳ生成部１１４２は、重複した領域のデータに対して送信パワーが低くなるように、ウェイトをかけてＣＲＳを出力する。【０１１３】
さらに、ＤＲＳ生成部１２４２は、送信アンテナ１７０‐４〜１７０‐７から送信されるＤＲＳを生成し、多重化部１５０に出力する（Ｓ６０）。ＤＲＳ生成部１２４２は、例えば、「Ｄｕａｌ‐Ｔｙｐｅ  ＤＲＳ」のＤＲＳに対して、他のＤＲＳの送信パワーが小さくなるように、各ＤＲＳにウェイトをかけて出力する。【０１１４】
Ｓ５０とＳ６０の処理が終了した後、多重化部１５０は第２のＣＲＳ生成部１１４２からのＣＲＳをＬＴＥ準拠の端末２００に、ＤＲＳ生成部１２４２からのＤＲＳをＬＴＥ‐Ａ準拠の端末３００に割り当てるようにする（Ｓ５１）。【０１１５】
そして、多重化部１５０は、Ｓ２２とＳ３２、及びＳ５１の処理が終了後、データとＣＲＳ、及びＤＲＳを多重化し、スケジューラ１４０からの第１及び第２のスケジューリング情報（例えば、図５（Ａ）〜同図（Ｃ）と図１１（Ａ）〜同図（Ｃ）など）に基づいて、データ等を各周波数領域、各時間領域にマッピングする（Ｓ１１）。【０１１６】
次いで、ＲＦ部１６０‐０〜１６０‐７は、多重化部１５０からの出力を無線信号に変換し（Ｓ１２）、各送信アンテナ１７０‐０〜１７０‐７は無線信号を送信信号として各端末２００，３００に無線送信する。そして一連の処理が終了する（Ｓ１３）。【０１１７】
ＬＴＥ準拠の端末２００は本処理を開始すると（Ｓ７０）、端末２００のＲＦ部２１１は、アンテナ２１０で受信した送信信号を、基地局１００におけるＲＦ変換前の信号に変換する（Ｓ７１）。【０１１８】
次いで、ＣＲＳ推定部２１３は、ＲＦ部２１１からの出力に対して、ＣＲＳを推定する（Ｓ７２）。ＣＲＳ推定部２１３は、基地局１００の全送信アンテナ１７０‐０〜１７０‐７から送信されたＣＲＳを推定してもよいし、送信アンテナ１７０‐０〜１７０‐３から送信されたＣＲＳを推定してもよい。ＣＲＳ推定部２１３は、自身で保持した第１のスケジューリング情報に基づいてＣＲＳを推定する。【０１１９】
次いで、ＣＲＳ推定部２１３は、推定したＣＲＳに基づいてコヒーレント検出を行い検出結果を復調部２１２に出力し、また、推定したＣＲＳに基づいてチャネル推定を行い、推定結果を例えばＣＱＩとして基地局１００にフィードバックする（Ｓ７３〜Ｓ７４）。【０１２０】
一方、復調部２１２は、ＣＲＳ推定部２１３からの検出結果に基づいてデータを復調し（Ｓ７５）、復号化部２１４は復調後のデータを復号する（Ｓ７６）。そして、一連の処理が終了する（Ｓ７７）。【０１２１】
ＬＴＥ‐Ａ準拠の端末３００は本処理を開始すると（Ｓ８０）、端末３００のＲＦ部３１１はアンテナ３１０で受信した受信信号を、基地局１００におけるＲＦ変換前の信号に変換する（Ｓ８１）。【０１２２】
次いで、ＤＲＳ推定部３１３０は、基地局１００の送信アンテナ１７０‐４〜１７０‐７から送信されたＤＲＳを推定する（Ｓ９０）。ＤＲＳ推定部３１３０は、例えば自身で保持した第２のスケジューリング情報に基づいてＤＲＳを推定する。また、ＤＲＳ推定部３１３０は推定したＤＲＳに基づいてチャネル推定とコヒーレント検出等を行い、チャネル推定の結果をＣＱＩとして基地局１００にフィードバックする（Ｓ１０１〜Ｓ１０２）。ＤＲＳ推定部３１３０は、コヒーレント検出の検出結果を復調部３１２に出力する。【０１２３】
また、ＣＲＳ推定部３１３１は、基地局１００の送信アンテナ１７０‐０〜１７０‐３から送信されたＣＲＳを推定する（Ｓ１００）。例えば、ＣＲＳ推定部３１３１は自身で保持した第２のスケジューリング情報に基づいてＣＲＳを推定する。ＣＲＳ推定部３１３１はＣＲＳに基づいてチャネル推定を行い、推定結果をＣＱＩとして基地局１００にフィードバックする（Ｓ１０１〜Ｓ１０２）。また、ＣＲＳ推定部３１３１はＣＲＳに基づいてコヒーレント検出を行い検出結果を復調部３１２に出力する。【０１２４】
Ｓ８１とＳ９０、及びＳ１００の処理が終了すると、復調部３１２はＤＲＳ推定部３１３０またはＣＲＳ推定部３１３１からの推定結果に基づいて、データを復調する（Ｓ８２）。【０１２５】
次いで、復号化部３１４は復調後のデータを復号する（Ｓ８３）。そして、一連の処理が終了する（Ｓ８４）。【０１２６】
＜その他の実施例＞
次にその他の実施例について説明する。【０１２７】
基地局１００は複数の送信アンテナ１７０‐０〜１７０‐７からデータ等を送信するとき、データ列を各送信アンテナ１７０‐０〜１７０‐７にマッピングするプリコーディングが行われる場合がある。本実施例は基地局１００でプリコーディングが行われる場合でも実施可能である。各送信アンテナ１７０‐０〜１７０‐７に対するＣＲＳがリソースエレメントとして割り当てられ、プリコーディングにより、割り当てられた各送信アンテナ１７０‐０〜１７０‐７から実際にＣＲＳが送信されない場合、基地局１００と端末２００，３００は、プリコーディングを行うための例えば行列式を保持し、同じ行列式を用いてプリコーディングに関する処理を行うことにより、各ＣＲＳを推定することができる。プリコーディング処理は、例えば、基地局１００の多重化部１５０、端末２００のＣＲＳ推定部２１３または復調部２１２、端末３００のＲＳ推定部３１３または復調部３１２などで行われる。端末２００，３００はフィードバック情報（例えばＣＱＩ）を送信し、例えば、基地局１００の多重化部１５０がフィードバック情報に基づいてプリコーディング処理を行ってもよい。【０１２８】
上述した例において、基地局１００の送信アンテナ数は８本として説明した。５本以上の送信アンテナ数でもよい。例えば、送信アンテナ数が５本のとき、送信アンテナ１７０‐４から送信されるＣＲＳは、図５（Ａ）に示す４つのＣＲＳ列のうち、いずれか一つに割り当てるようにすればよい。また、ＤＲＳについても、図１１（Ａ）に示す重複したＤＲＳ列のうち、いずれか一つを用いればよい。この場合、ＤＲＳはＣＲＳとしての役割を果たすようにするために、図５（Ａ）に示すいずれか一つの領域と同じ領域にＤＲＳが割り当てられる。送信アンテナ数が９本以上のときは、さらに９本目、１０本目等の送信アンテナから送信されるＣＲＳに対して別途リソースエレメントを割り当てる。また、ＤＲＳは重複した各ＤＲＳの数を送信アンテナ数に応じて変えればよい。【０１２９】
また、上述した例において、送信アンテナ１７０‐４〜１７０‐７から送信されるＣＲＳのリソースエレメントは、例えば、各サブフレームの全周波数帯域にわたり割り当てるようにした（図５（Ａ）参照）。各送信アンテナ１７０‐４〜１７０‐７から送信される各ＣＲＳのリソースエレメント数は１２個ではなく、１個にしてもよい。上述した例では複数のリソースエレメントにかかるＣＲＳを割り当てることで、ＣＲＳ推定部２１３等は送信パワーの小さい各ＣＲＳを集めてＣＲＳを推定しやすくなる。しかし、リソースエレメント数を１個にすることでデータを多くのリソースエレメントに割り当てることができ、リソースの有効活用化を図ることができる。【０１３０】
各送信アンテナ１７０‐４〜１７０‐７から送信される各ＤＲＳについても、リソースエレメント数を１２個などの複数個ではなく１個にしてもよい。同様にリソースの有効活用化を図ることができる。【０１３１】
さらに、上述した例では、送信アンテナ１７０‐４〜１７０‐７から送信される各ＣＲＳは、サブフレームのデータチャネル領域（ＰＤＳＣＨ）上にリソースが割り当てられていた（例えば図５（Ａ）〜同図（Ｃ））。例えば、当該ＣＲＳは制御チャネル領域（ＰＤＣＣＨ）に割り当てられてもよい。また、送信アンテナ１７０‐４〜１７０‐７から送信される各ＤＲＳについても制御チャネル領域に割り当てられてもよい。【０１３２】
さらに、上述した例では、スケジューリング情報は予め基地局１００と端末２００，３００に保持されているものとして説明した。例えば、基地局１００等は、図５（Ａ）〜同図（Ｃ）に示すサブフレームと、図６（Ａ）〜同図（Ｃ）に示すサブフレームと、図７（Ａ）〜同図（Ｃ）に示すサブフレームとを保持し、端末２００，３００からの例えばフィードバック情報（例えば、ＣＱＩ）に基づいて切り替えるようにしてもよい。ＤＲＳについても同様である。例えば、各サブフレームに識別符号を予め付与し、端末２００，３００からのフィードバック情報に含めることで容易に実施できる。【０１３３】
さらに、上述した例では、端末２００，３００のスケジューリング情報はＣＲＳ推定部２１３等に記憶されるものとして説明した。別途、メモリを設けて記憶させるようにしてもよい。
【図１】
2010086905.tif 000003
【図２】
2010086905.tif 000004
【図３】
2010086905.tif 000005
【図４】
2010086905.tif 000006
【図５】
2010086905.tif 000007
【図６】
2010086905.tif 000008
【図７】
2010086905.tif 000009
【図８】
2010086905.tif 000010
【図９】
2010086905.tif 000011
【図１０】
2010086905.tif 000012
【図１１】
2010086905.tif 000013
【図１２】
2010086905.tif 000014
【図１３】
2010086905.tif 000015
【図１４】
2010086905.tif 000016
【図１５】
2010086905.tif 000017
【図１６】
2010086905.tif 000018
【図１７】
2010086905.tif 000019
【図１８】
2010086905.tif 000020
【図１９】
2010086905.tif 000021
【図２０】
2010086905.tif 000022
【図２１】
2010086905.tif 000023
【図２２】
2010086905.tif 000024
【図２３】
2010086905.tif 000025
【図２４】
2010086905.tif 000026
【図２５】
2010086905.tif 000027
【図２６】
2010086905.tif 000028
【手続補正書】
【提出日】平成23年4月15日(2011.4.15)
【手続補正１】
【補正対象書類名】特許請求の範囲
【補正対象項目名】全文
【補正方法】変更
【補正の内容】
【特許請求の範囲】
【請求項１】
基地局装置と端末装置との間で無線通信を行う無線通信システムにおいて、
前記基地局装置は、
５本以上の送信アンテナと、
データチャネル領域と制御チャネル領域とを有し、ｍ（ｍは１≦ｍ＜５を満たす整数）本目までの各前記送信アンテナから送信される共通参照信号の各リソースが割り当てられた第１の領域とは異なる領域であって、データが割り当てられた前記データチャネル領域または制御信号が割り当てられた前記制御チャネル領域と重複し、かつ互いに異なる領域となるようにするように、５本目以降の各前記送信アンテナから送信される共通参照信号の各リソースが割り当てられた第１のスケジューリング情報と、前記第１の領域とは異なる領域であって、前記データチャネル領域において前記データが割り当てられていない領域または前記制御チャネル領域において前記制御信号が割り当てられていない領域で、かつ互いに重複し、コード領域において異なる領域となるように、５本目以降の各前記送信アンテナから送信される個別参照信号の各リソースが割り当てられた第２のスケジューリング情報とを保持するスケジューリング情報保持部と、
前記第１または第２のスケジューリング情報に基づいて、前記データ、前記制御信号、前記共通参照信号、及び前記個別参照信号を送信する送信部とを備え、
前記端末装置は、前記第１または前記第２のスケジューリング情報に基づいて、前記データ、制御信号、及び前記共通参照信号または前記個別参照信号を受信する受信部を備え、
前記送信部は前記共通参照信号を所定のコードにより送信することを特徴とする無線通信システム。
【請求項２】
前記送信部は、前記データまたは前記制御信号よりも大きい送信パワーで前記共通参照信号を送信することを特徴とする請求項１記載の無線通信システム。
【請求項３】
前記第１のスケジューリング情報において、ｎ（ｎは５以上の整数）本目の前記送信アンテナから送信される前記共通参照信号のリソースは同一の時間領域でかつ複数の周波数領域にわたり割り当てられていることを特徴とする請求項１記載の無線通信システム。
【請求項４】
前記第１のスケジューリング情報において、ｎ（ｎは５以上の整数）本目の前記送信アンテナから送信される前記共通参照信号のリソースは同一の周波数領域でかつ複数の時間領域にわたり割り当てられていることを特徴とする請求項１記載の無線通信システム。
【請求項５】
前記第１のスケジューリング情報において、ｎ（ｎは５以上の整数）本目の前記送信アンテナから送信される前記共通参照信号のリソースは互いに異なる周波数領域でかつ互いに異なる時間領域に割り当てられていることを特徴とする請求項１記載の無線通信システム。
【請求項６】
前記第１のスケジューリング情報において、前記５本目以降の各送信アンテナから送信される共通参照信号の各リソースのうち、少なくとも一つの前記リソースが割り当てられることを特徴とする請求項１記載の無線通信システム。
【請求項７】
前記スケジューリング情報保持部は、前記５本目以降の各送信アンテナから送信される共通参照信号の各リソースのうち、互いに異なる少なくとも一つのリソースがそれぞれ割り当てられた複数のスケジューリング情報を前記第１のスケジューリング情報として保持し、
更に、前記複数のスケジューリング情報をそれぞれ切り替える切り替え部を備え、
前記送信部は、前記切り替え部により切り替えられた各前記スケジューリング情報に基づいて前記データ及び前記制御信号を送信することを特徴とする請求項１記載の無線通信システム。
【請求項８】
前記第２のスケジューリング情報において、ｎ（ｎは５以上の整数）本目の前記送信アンテナから送信される前記個別参照信号のリソースは同一の時間領域でかつ複数の周波数領域にわたり割り当てられていることを特徴とする請求項１記載の無線通信システム。
【請求項９】
前記第２のスケジューリング情報において、ｎ（ｎは５以上の整数）本目の前記送信アンテナから送信される前記個別参照信号のリソースは同一の周波数領域でかつ複数の時間領域にわたり割り当てられていることを特徴とする請求項１記載の無線通信システム。
【請求項１０】
前記第２のスケジューリング情報において、ｎ（ｎは５以上の整数）本目の前記送信アンテナから送信される前記個別参照信号のリソースは互いに異なる周波数領域でかつ互いに異なる時間領域に割り当てられていることを特徴とする請求項１記載の無線通信システム。
【請求項１１】
前記第２のスケジューリング情報において、前記５本目以降の各送信アンテナから送信される個別参照信号の各リソースのうち、少なくとも一つの前記リソースが割り当てられることを特徴とする請求項１記載の無線通信システム。
【請求項１２】
前記スケジューリング情報保持部は、前記５本目以降の各送信アンテナから送信される個別参照信号の各リソースのうち、互いに異なる少なくとも一つのリソースがそれぞれ割り当てられた複数のスケジューリング情報を前記第２のスケジューリング情報として保持し、
更に、前記複数のスケジューリング情報をそれぞれ切り替える切り替え部を備え、
前記送信部は、前記切り替え部により切り替えられた各前記スケジューリング情報に基づいて前記データ及び前記制御信号を送信することを特徴とする請求項１記載の無線通信システム。
【請求項１３】
前記受信部は、前記第２のスケジューリング情報に基づいて受信した前記５本目以降の各前記送信アンテナから送信された前記個別参照信号のうち一部を、前記５本目以降の各前記送信アンテナから送信された前記共通参照信号として受信することを特徴とする請求項１記載の無線通信システム。
【請求項１４】
前記送信部は、前記個別参照信号の送信パワーを、前記共通参照信号の送信パワーと同じにして、当該個別参照信号を送信することを特徴とする請求項１３記載の無線通信システム。
【請求項１５】
端末装置と無線通信を行う基地局装置において、
５本以上の送信アンテナと、
データチャネル領域と制御チャネル領域とを有し、ｍ（ｍは１≦ｍ＜５を満たす整数）本目までの各前記送信アンテナから送信される共通参照信号の各リソースが割り当てられた第１の領域とは異なる領域であって、データが割り当てられた前記データチャネル領域または制御信号が割り当てられた前記制御チャネル領域と重複し、かつ互いに異なる領域となるようにするように、５本目以降の各前記送信アンテナから送信される共通参照信号の各リソースが割り当てられた第１のスケジューリング情報と、前記第１の領域とは異なる領域であって、前記データチャネル領域において前記データが割り当てられていない領域または前記制御チャネル領域において前記制御信号が割り当てられていない領域で、かつ互いに重複し、コード領域において異なる領域となるように、５本目以降の各前記送信アンテナから送信される個別参照信号の各リソースが割り当てられた第２のスケジューリング情報とを保持するスケジューリング情報保持部と、
前記第１または第２のスケジューリング情報に基づいて、前記データ、前記制御信号、前記共通参照信号、及び前記個別参照信号を送信する送信部とを備え、
前記送信部は前記共通参照信号を所定のコードにより送信することを特徴とする基地局装置。
【請求項１６】
５本以上の送信アンテナを有する基地局装置と無線通信を行う端末装置において、
データチャネル領域と制御チャネル領域とを有し、ｍ（ｍは１≦ｍ＜５を満たす整数）本目までの各前記送信アンテナから送信される共通参照信号の各リソースが割り当てられた第１の領域とは異なる領域であって、データが割り当てられた前記データチャネル領域または制御信号が割り当てられた前記制御チャネル領域と重複し、かつ互いに異なる領域となるようにするように、５本目以降の各前記送信アンテナから送信される共通参照信号の各リソースが割り当てられた第１のスケジューリング情報と、前記第１の領域とは異なる領域であって、前記データチャネル領域において前記データが割り当てられていない領域または前記制御チャネル領域において前記制御信号が割り当てられていない領域で、かつ互いに重複し、コード領域において異なる領域となるように、５本目以降の各前記送信アンテナから送信される個別参照信号の各リソースが割り当てられた第２のスケジューリング情報とを保持するスケジューリング情報保持部と、
前記第１または第２のスケジューリング情報に基づいて、前記データ、前記制御信号、及び共通参照信号または前記個別参照信号を受信する受信部とを備え、
前記受信部は所定のコードにより送信された前記共通参照信号を受信することを特徴とする端末装置。
【請求項１７】
基地局装置と端末装置との間で無線通信を行う無線通信システムにおける無線通信方法において、
５本以上の送信アンテナを有する前記基地局装置は、前記基地局装置のスケジューリング情報保持部に保持された第１または第２のスケジューリング情報に基づいて、データ、制御信号、個別参照信号、及び共通参照信号を送信し、
前記端末装置は、前記第１または前記第２のスケジューリング情報に基づいて、前記データ、制御信号、及び前記共通参照信号または前記個別参照信号を受信し、
前記第１のスケジューリング情報は、データチャネル領域と制御チャネル領域とを有し、ｍ（ｍは１≦ｍ＜５を満たす整数）本目までの各前記送信アンテナから送信される共通参照信号の各リソースが割り当てられた第１の領域とは異なる領域であって、データが割り当てられた前記データチャネル領域または制御信号が割り当てられた前記制御チャネル領域と重複し、かつ互いに異なる領域となるようにするように、５本目以降の各前記送信アンテナから送信される共通参照信号の各リソースが割り当てられ、
前記第２のスケジューリング情報は、前記第１の領域とは異なる領域であって、前記データチャネル領域において前記データが割り当てられていない領域または前記制御チャネル領域において前記制御信号が割り当てられていない領域で、かつ互いに重複し、コード領域において異なる領域となるように、５本目以降の各前記送信アンテナから送信される個別参照信号の各リソースが割り当てられ、
前記送信ステップにおいて、前記基地局装置は前記共通参照信号を所定のコードにより送信することを特徴とする無線通信方法。
【国際調査報告】
2010086905.tif 000029
2010086905.tif 000030
2010086905.tif 000031